(57)【要約】無線リンクパラメータを無線通信リンクに適応化させるシステム。無線リンク上での通信で生じる誤りの測定値が決定される。誤りの測定値が第１のしきい値より多いとき、通信は無線リンクパラメータの第１のセットから第１のセットより高い誤り許容度に対応した無線リンクパラメータの第２のセットに変化する。誤りの測定値が第２のしきい値より少ないとき、通信は無線リンクパラメータの第１のセットから第１のセットより低い誤り許容度に対応した無線リンクパラメータの第３のセットに変化する。好ましくは、誤りの測定値は発生するＮＡＣＫメッセージ数とＡＣＫメッセージ数をモニタリングして決定される。所定の数より多いＮＡＣＫメッセージが続いて生じるとき、誤りの測定値は第１のしきい値より多い誤りに対応すると決定され、所定の数より多いＡＣＫメッセージが続いて生じるとき、誤りの測定値は第２のしきい値より少ない誤りに対応すると決定される。
2004525536.tif 000002
【特許請求の範囲】
【請求項１】
複数の無線リンクパラメータを動的に適応化させる方法であって、
無線リンクを介した通信において発生する誤りの測定値を決定することと、
上記誤りの測定値が予め決められた第１のしきい値より多い誤りに対応する場合において、無線リンクパラメータの第１のセットから、上記無線リンクパラメータの第１のセットより高い誤り許容度に対応する無線リンクパラメータの第２のセットへ変更することと、
上記誤りの測定値が予め決められた第２のしきい値より少ない誤りに対応する場合において、上記無線リンクパラメータの第１のセットから、上記無線リンクパラメータの第１のセットより低い誤り許容度に対応する無線リンクパラメータの第３のセットへ変更することとを含む方法。
【請求項２】
上記誤りの測定値は、発生するＮＡＣＫメッセージの数とＡＣＫメッセージの数とをモニタリングすることによって決定される請求項１記載の方法。
【請求項３】
予め決められた数より多いＮＡＣＫメッセージが連続して発生する場合に、上記誤りの測定値は上記予め決められた第１のしきい値より多い誤りに対応すると決定される請求項２記載の方法。
【請求項４】
予め決められた数より多いＡＣＫメッセージが連続して発生する場合に、上記誤りの測定値は上記予め決められた第２のしきい値より少ない誤りに対応すると決定される請求項２記載の方法。
【請求項５】
無線リンクパラメータの各セットは、変調方式を含む請求項１記載の方法。
【請求項６】
無線リンクパラメータの各セットは、シンボルレートを含む請求項１記載の方法。
【請求項７】
無線リンクパラメータの各セットは、誤り訂正方式を含む請求項１記載の方法。
【請求項８】
無線リンクパラメータの各セットは、変調方式と、シンボルレートと、誤り訂正方式とを含む請求項１記載の方法。
【請求項９】
上記変調方式は直交振幅変調又は直交位相シフトキーイングであり、上記シンボルレートは高いシンボルレート又は低いシンボルレートであり、上記誤り訂正方式はハイレベルの順方向誤り訂正又はローレベルの順方向誤り訂正である請求項８記載の方法。
【請求項１０】
無線リンクパラメータの各セットはスループット効率と誤り率との間の関係に対応し、
上記予め決められた第１のしきい値は、上記無線リンクパラメータの第１のセットに対する関係が上記無線リンクパラメータの第２のセットに対する関係と交差する点に対応し、
上記予め決められた第２のしきい値は、上記無線リンクパラメータの第１のセットに対する関係が上記無線リンクパラメータの第３のセットに対する関係と交差する点に対応する請求項１記載の方法。
【請求項１１】
複数の無線リンクパラメータを動的に適応化させる装置であって、
無線リンクに対する無線リンクインタフェースと、
プロセッサと、
上記無線リンクインタフェースを介した通信を制御する処理によって実行可能な複数の命令を記憶するメモリとを備え、上記命令は、（ａ）無線リンクを介した通信において発生する誤りの測定値を決定するステップと、（ｂ）上記誤りの測定値が予め決められた第１のしきい値より多い誤りに対応する場合において、無線リンクパラメータの第１のセットから、上記無線リンクパラメータの第１のセットより高い誤り許容度に対応する無線リンクパラメータの第２のセットへ変更するステップと、（ｃ）上記誤りの測定値が予め決められた第２のしきい値より少ない誤りに対応する場合において、上記無線リンクパラメータの第１のセットから、上記無線リンクパラメータの第１のセットより低い誤り許容度に対応する無線リンクパラメータの第３のセットへ変更するステップとを含む装置。
【請求項１２】
上記誤りの測定値は、発生するＮＡＣＫメッセージの数とＡＣＫメッセージの数とをモニタリングすることによって決定される請求項１１記載の装置。
【請求項１３】
予め決められた数より多いＮＡＣＫメッセージが連続して発生する場合に、上記誤りの測定値は上記予め決められた第１のしきい値より多い誤りに対応すると決定される請求項１２記載の装置。
【請求項１４】
予め決められた数より多いＡＣＫメッセージが連続して発生する場合に、上記誤りの測定値は上記予め決められた第２のしきい値より少ない誤りに対応すると決定される請求項１２記載の装置。
【請求項１５】
無線リンクパラメータの各セットは、変調方式を含む請求項１１記載の装置。
【請求項１６】
無線リンクパラメータの各セットは、シンボルレートを含む請求項１１記載の装置。
【請求項１７】
無線リンクパラメータの各セットは、誤り訂正方式を含む請求項１１記載の装置。
【請求項１８】
無線リンクパラメータの各セットは、変調方式と、シンボルレートと、誤り訂正方式とを含む請求項１１記載の装置。
【請求項１９】
上記変調方式は直交振幅変調又は直交位相シフトキーイングであり、上記シンボルレートは高いシンボルレート又は低いシンボルレートであり、上記誤り訂正方式はハイレベルの順方向誤り訂正又はローレベルの順方向誤り訂正である請求項１８記載の装置。
【請求項２０】
無線リンクパラメータの各セットはスループット効率と誤り率との間の関係に対応し、
上記予め決められた第１のしきい値は、上記無線リンクパラメータの第１のセットに対する関係が上記無線リンクパラメータの第２のセットに対する関係と交差する点に対応し、
上記予め決められた第２のしきい値は、上記無線リンクパラメータの第１のセットに対する関係が上記無線リンクパラメータの第３のセットに対する関係と交差する点に対応する請求項１１記載の装置。
【請求項２１】
複数の無線リンクパラメータを動的に適応化させるためにプロセッサによって実行可能な複数の命令を含むメモリであって、上記命令は、
無線リンクを介した通信において発生する誤りの測定値を決定するステップと、
上記誤りの測定値が予め決められた第１のしきい値より多い誤りに対応する場合において、無線リンクパラメータの第１のセットから、上記無線リンクパラメータの第１のセットより高い誤り許容度に対応する無線リンクパラメータの第２のセットへ変更するステップと、
上記誤りの測定値が予め決められた第２のしきい値より少ない誤りに対応する場合において、上記無線リンクパラメータの第１のセットから、上記無線リンクパラメータの第１のセットより低い誤り許容度に対応する無線リンクパラメータの第３のセットへ変更するステップとを含むメモリ。
【請求項２２】
上記誤りの測定値は、発生するＮＡＣＫメッセージの数とＡＣＫメッセージの数とをモニタリングすることによって決定される請求項１記載のメモリ。
【請求項２３】
予め決められた数より多いＮＡＣＫメッセージが連続して発生する場合に、上記誤りの測定値は上記予め決められた第１のしきい値より多い誤りに対応すると決定される請求項２記載のメモリ。
【請求項２４】
予め決められた数より多いＡＣＫメッセージが連続して発生する場合に、上記誤りの測定値は上記予め決められた第２のしきい値より少ない誤りに対応すると決定される請求項２記載のメモリ。
【請求項２５】
無線リンクパラメータの各セットは、変調方式を含む請求項１記載のメモリ。
【請求項２６】
無線リンクパラメータの各セットは、シンボルレートを含む請求項１記載のメモリ。
【請求項２７】
無線リンクパラメータの各セットは、誤り訂正方式を含む請求項１記載のメモリ。
【請求項２８】
無線リンクパラメータの各セットは、変調方式と、シンボルレートと、誤り訂正方式とを含む請求項１記載のメモリ。
【請求項２９】
上記変調方式は直交振幅変調又は直交位相シフトキーイングであり、上記シンボルレートは高いシンボルレート又は低いシンボルレートであり、上記誤り訂正方式はハイレベルの順方向誤り訂正又はローレベルの順方向誤り訂正である請求項８記載のメモリ。
【請求項３０】
無線リンクパラメータの各セットはスループット効率と誤り率との間の関係に対応し、
上記予め決められた第１のしきい値は、上記無線リンクパラメータの第１のセットに対する関係が上記無線リンクパラメータの第２のセットに対する関係と交差する点に対応し、
上記予め決められた第２のしきい値は、上記無線リンクパラメータの第１のセットに対する関係が上記無線リンクパラメータの第３のセットに対する関係と交差する点に対応する請求項１記載のメモリ。
【請求項３１】
複数の無線リンクパラメータを動的に適応化させる装置であって、
無線リンクを介した通信において発生する誤りの測定値を決定するための手段と、
上記誤りの測定値が予め決められた第１のしきい値より多い誤りに対応する場合において、無線リンクパラメータの第１のセットから、上記無線リンクパラメータの第１のセットより高い誤り許容度に対応する無線リンクパラメータの第２のセットへ変更し、上記誤りの測定値が予め決められた第２のしきい値より少ない誤りに対応する場合において、上記無線リンクパラメータの第１のセットから、上記無線リンクパラメータの第１のセットより低い誤り許容度に対応する無線リンクパラメータの第３のセットへ変更する手段とを備えた装置。
【発明の詳細な説明】
【０００１】
【発明の属する技術分野】
本発明は、無線通信のためのリンクパラメータの動的な適応化に関する。特に、本発明は、無線通信リンクのための変調方式、シンボルレート及び誤り訂正方式のようなリンクパラメータの動的な適応化に関する。
【０００２】
【従来の技術及び発明が解決しようとする課題】
従来型の無線通信システムは、チャンネル品質の周期的な測定値に基づいて、それらの変調方式を適応化させる。これらのシステムによって使用されるチャンネル品質の測定値はビット誤り率（ＢＥＲ）統計値である。これらの従来型のシステムには幾つかの欠点がある。
【０００３】
第１に、異なる変調方式は、根本的に異なるスループット効率及び誤り許容度を有する可能性がある。その結果、通信誤りの増大に対処するように変調方式を変更すると、スループット効率が受け入れ難いほど低下してしまうことがある。
【０００４】
第２に、ＢＥＲ統計値は、通信誤りの増大を反映するように変化するために幾らか時間がかかる。ＢＥＲ統計値の計算の周期的な性質は、この問題を悪化させる。特に、通信誤り率における変化は、１つの周期の終わりまでＢＥＲ統計値に反映されない。誤り率がその周期の終わり近くで変化する場合には、ＢＥＲ統計値は次の周期の終わりまでその変化を反映しないことがある。この遅れの間に、受入れ難い誤り許容度を有する変調方式が利用される可能性があり、無線リンクを介した通信に悪影響を及ぼす。
【０００５】
従って、誤り許容度に対するスループットのオプションに係るより優れた選択を提供し、かつ通信誤り率の変化により効率的に適応する、無線リンクパラメータのセットを動的に適応化させるシステムが必要とされている。
【０００６】
【課題を解決するための手段】
前述の必要性を取り扱う本発明の一実施形態は、無線リンクパラメータを動的に適応化させる方法である。無線リンクを介した通信において発生する誤りの測定値が決定される。誤りの測定値が予め決められた第１のしきい値より多い誤りに対応する場合において、通信は無線リンクパラメータの第１のセットから無線リンクパラメータの第２のセットに変化する。無線リンクパラメータの第２のセットは、無線リンクパラメータの第１のセットより高い誤り許容度に対応する。誤りの測定値が予め決められた第２のしきい値より少ない誤りに対応する場合において、通信は無線リンクパラメータの第１のセットから無線リンクパラメータの第３のセットに変化する。無線リンクパラメータの第３のセットは、無線リンクパラメータの第１のセットより低い誤り許容度に対応する。
【０００７】
無線リンクパラメータの少なくとも３つのセットを利用することにより、本発明は、通信誤り率の変化に適応するためのより大きな順応性をもたらす。
【０００８】
好適には、誤りの測定値は、発生するＮＡＣＫメッセージの数とＡＣＫメッセージの数とをモニタリングすることによって決定される。予め決められた数より多いＮＡＣＫメッセージが連続して発生すると、誤りの測定値は予め決められた第１のしきい値より多い誤りに対応すると決定される。予め決められた数より多いＡＣＫメッセージが連続して発生すると、誤りの測定値は予め決められた第２のしきい値より少ない誤りに対応すると決定される。
【０００９】
連続するＮＡＣＫ及びＡＣＫメッセージに対する前述のモニタリングは、継続的に生じることが可能である。その結果、無線リンクパラメータの適応化は連続的な多数のＮＡＣＫ又はＡＣＫメッセージが受信されるとすぐに生じることが可能であり、通信状態へのより迅速かつ効率的な適応化が可能になる。
【００１０】
無線リンクパラメータの各セットは、変調方式、シンボルレート、及び／又は誤り訂正方式を含むことが可能である。ある好適な実施形態では、無線リンクパラメータの各セットは、直交振幅変調又は直交位相シフトキーイング、高いシンボルレート又は低いシンボルレート、及びハイレベルの（すなわち冗長度が高い）順方向誤り訂正又はローレベルの（すなわち冗長度が低い）順方向誤り訂正を含む。
【００１１】
前述のパラメータのセットは、無線リンクを介した通信を様々な誤り率に対処するように適応化させる優れた順応性をもたらすということが発見されている。おそらくは前述のパラメータを含むが、必ずしも含まなくてもよい、他のパラメータも利用されうる。
【００１２】
無線リンクパラメータの各セットは、スループット効率と誤り許容度との間の関係に対応する。予め決められた第１のしきい値は、好適には、無線リンクパラメータの第１のセットに対する関係が無線リンクパラメータの第２のセットに対する関係と交差する点に対応する。予め決められた第２のしきい値は、好適には、無線リンクパラメータの第１のセットに対する関係が無線リンクパラメータの第３のセットに対する関係と交差する点に対応する。
【００１３】
これらの交点を、パラメータのセット間で変化するためのしきい値として使用することにより、与えられた誤り率に対して、最適のパラメータのセットが自動的に選択される傾向がある。
【００１４】
本発明はまた、通信システム、通信ハードウェア、ＭＭＤＳヘッドエンド、及び前述の方法を利用するＭＭＤＳ通信を制御するソフトウェアにおいて具現されることも可能である。また、本発明の他の実施形態も可能である。
【００１５】
前述の装置により、本発明は、誤り許容度に対するスループットのオプションに係るより優れた選択をもたらし、かつ通信誤り率の変化により効率的に適応する。
【００１６】
この簡単な要約は、本発明の性質が即座に理解されうるように提供されたものである。添付の図面に関するその好適な実施形態の以下の説明を参照することによって、本発明についてのより完全な理解を得ることができる。
【００１７】
【発明の実施の形態】
以下の説明では、本発明のある好適な実施形態が、好適な処理ステップ及びデータ構成に関連して説明される。しかしながら、本願明細書を熟読すれば、当業者は、本発明の実施形態が、プログラム制御の下で動作する特定の処理ステップ及びデータ構成に適応化された、１つ又は複数の汎用プロセッサかもしくは特定目的のプロセッサを使用して実装可能であることと、このような処理ステップ及びデータ構成が、このようなプロセッサによって実行可能な命令（例えば直接に実行できるオブジェクトコード、コンパイル後に実行できるソースコード、翻訳処理を介して実行できるコードなど）を含むメモリ（例えば、ＤＲＡＭ、ＳＲＡＭ、ハードディスク、キャッシュなどのような固定されたメモリと、フロッピーディスク、ＣＤ−ＲＯＭ、データテープなどのような着脱可能なメモリ）に記憶される情報又はメモリとの間で送受信される情報として具現され得ることと、このような機器を使用する、ここに記述されている好適な処理ステップ及びデータ構成の実施が、過度の実験又はさらなる発明を必要としないこととを認識するであろう。
【００１８】
図１は、無線通信リンクのブロック図である。図１には、無線リンク３を介して受信機２と通信する送信機１が示されている。図１に示された本装置の例は、セルラー電話通信、無線ケーブルサービス、マルチポイント・マルチチャンネル配信システム（ＭＭＤＳ）、及び他の任意の無線通信を含むが、これらに限定されない。本発明は、片方向通信、双方向通信及び他の任意のタイプの無線通信に等しく適用可能である。ある単一の装置が、本発明に係る無線通信のための送信機、受信機又はこれらの両方であることが可能である。
【００１９】
図２は、本発明の一実施形態に係る無線通信に参加可能な装置のブロック図である。装置５は、送信機１及び／又は受信機２として機能することができる。
【００２０】
装置５は、プロセッサ６と、メモリ７と、入／出力（Ｉ／Ｏ）８と、送信機／受信機９とを含み、これらはバス１０を介して互いに通信する。プロセッサ６は、メモリ７に記憶された命令に基づいて装置５の動作を制御する。本発明によれば、プロセッサ６は、無線リンク３のような無線リンクを介した通信のための無線通信リンクパラメータ（“無線リンクパラメータ”）を変更することができる。
【００２１】
メモリ７は、ＤＲＡＭ、ＳＲＡＭ、ハードディスク、キャッシュなどのような固定されたメモリか、フロッピーディスク、ＣＤ−ＲＯＭ、データテープなどのような着脱可能なメモリか、又はこれらのメモリの任意の組み合わせであることが可能である。メモリ７は、好適には、プロセッサ６によって実行可能な命令と、これらの命令の実行中に使用するデータとを記憶する。メモリ７に記憶されるデータは、好適には、無線リンクを介した通信のための無線リンクパラメータを含む。プロセッサ６は、図３乃至図６を参照して以下により詳細に説明される通り、これらの無線リンクパラメータの動的な適応化を実施するように、メモリ７に記憶された命令を実行する。
【００２２】
Ｉ／Ｏ８は、外部ソースからのデータを送信し、及び／又は受信するために提供される。このデータは、好適には、無線通信リンクを介して送信されるデータ及び／又は受信されたデータを含む。代替として、Ｉ／Ｏは省略されてもよく、データは、バス１０に接続されたメモリ７又は送信機／受信機９のような他のソースに送信されるか又は当該ソースから受信されてもよい。
【００２３】
送信機／受信機９は、無線リンク３のような無線通信リンクとのインタフェースを提供する。図２における送信機／受信機９は、このような無線リンクを介した双方向通信を可能にする。本発明の代替の実施形態では、無線リンクインタフェースは、装置５の特定の使用に依存して、送信機のみである場合もあり、受信機のみである場合もある。
【００２４】
図３は、様々な無線リンクパラメータについて、信号対干渉プラス雑音比に対するスループット効率を示すグラフである。図３のグラフは、単なる例示の目的で提供されている。本発明は、如何なる場合も本グラフの特定例に限定されない。
【００２５】
図３の縦軸はスループット効率を表し、効率はグラフの上に向かって増大する。グラフの横軸は信号対干渉プラス雑音比（ＳＩＮＲ）を表し、ＳＩＮＲはグラフの右から左へと増大する。従って図３では、誤り率は左から右へと増大する。
【００２６】
簡潔を期して、ここでの用語“誤り率”は、雑音と、干渉と、信号品質を低下させてより低いＳＩＮＲを生じさせる可能性のある他の任意のファクタ（例えば距離）とによって発生する誤りを表す。同様に、ここでの用語“誤り許容度”は、雑音と、干渉と、信号品質を低下させてより低いＳＩＮＲを生じさせる可能性のある他の任意のファクタとに対する許容度を表す。
【００２７】
図３における直線１１乃至１８は、無線リンクパラメータの様々な組み合わせに対して、スループット効率とＳＩＮＲとの間の関係を表す。誤りから回復するためにはより多くの再送信が必要とされるので、各直線に対して、スループット効率は、ＳＩＮＲが低下する（すなわち誤り率が増加する）のに伴って単調に低下する。従って、直線１１は、より低い誤り率の場合に直線１２よりも高いスループット効率を有するが、誤り率がより高ければ直線１２がより高いスループット効率を有する。
【００２８】
直線１１及び１２によって表された無線リンクパラメータのセットの間では、直線１１はより低い誤り許容度を有し、より低い誤り率（すなわちより高いＳＩＮＲ）に対して好適な無線リンクパラメータのセットを表す。直線１２はより高い誤り許容度を有し、かつより高い誤り率（すなわちより低いＳＩＮＲ）に対して好適な無線リンクパラメータのセットを表す。本発明によれば、無線リンクパラメータは、好適には、直線１１と１２とが交差する点において、直線１１によって表されるものから直線１２によって表されるものへ切り換えられる必要がある。
【００２９】
直線１２乃至１８は、図３のグラフによって示されたように、直線１１及び１２と同様の方法で相互に関連している。従って、任意の与えられたＳＩＮＲに対して好適な無線リンクパラメータのセットは、その与えられたＳＩＮＲに対して最高のスループット効率を有する直線に対応する。例えば、図３の点１９におけるＳＩＮＲに対して好適な無線リンクパラメータのセットは、直線１５に対応する無線リンクパラメータのセットである。
【００３０】
図３のグラフは８本の直線１１乃至１８を含む。従って、このグラフは、８セットの無線リンクパラメータ間の相互関係を表す。本発明の一実施形態では、無線リンクパラメータのセットの各々は、変調方式と、シンボルレートと、誤り訂正方式とを含む。例えば、変調方式は直交振幅変調（ＱＡＭ）又は直交位相シフトキーイング（ＱＰＳＫ）であることが可能であり、シンボルレートは高いシンボルレート（ＨＳＲ）又は低いシンボルレート（ＬＳＲ）であることが可能であり、誤り訂正方式はハイレベルの順方向誤り訂正（ハイレベルのＦＥＣ）又はローレベルの順方向誤り訂正（ローレベルのＦＥＣ）であることが可能である。次の表は、直線１１乃至１８とこれらの無線リンクパラメータとの間の対応に係る１つの可能なセットを示したものである。
【００３１】
【表１】
2004525536.tif 000003
【００３２】
当然ながら、本発明は、異なるセット及び異なる順序の無線リンクパラメータに等しく適用可能である。これらの異なるセットは、上で議論された無線リンクパラメータの幾つかを含む場合、まったく含まない場合、又はその全てを含む場合があるとともに、他の無線リンクパラメータを含む場合もある。例えば本パラメータは、異なる変調方式及びそれらの変調方式の変形物（１６ＱＡＭと６４ＱＡＭ）、異なるシンボルレート及び符号化、異なる誤り訂正方式、及びこれらに類するものを含むことが可能である。さらに本発明は、８セットの無線リンクパラメータに限定されるものではない。任意のセット数の異なる無線リンクパラメータのセットが利用可能である。
【００３３】
図４は、本発明のある好適な実施形態に係る、無線リンクパラメータの動的な適応化を示すフローチャートである。
【００３４】
簡単に言えば、無線リンクパラメータは動的に適応化される。無線リンクを介した通信において発生する誤りの測定値が決定される。誤りの測定値が予め決められた第１のしきい値より多い誤りに対応する場合において、通信は、無線リンクパラメータの第１のセットから無線リンクパラメータの第２のセットへ変化する。無線リンクパラメータの第２のセットは、無線リンクパラメータの第１のセットより高い誤り許容度に対応する。誤りの測定値が予め決められた第２のしきい値より少ない誤りに対応する場合において、通信は、無線リンクパラメータの第１のセットから無線リンクパラメータの第３のセットへ変化する。無線リンクパラメータの第３のセットは、無線リンクパラメータの第１のセットより低い誤り許容度に対応する。
【００３５】
より詳細に言えば、ステップＳ４０１において、無線リンクを介した通信において発生する誤りの１つ又は複数の測定値が決定される。この測定値は、受信装置、送信装置又はこれらの双方によって生成されることが可能である。ステップＳ４０２では、この測定値がしきい値と比較される。測定値が、第１のしきい値より多い誤りが発生していることを示すと、フローはステップＳ４０３へ進む。測定値が、第２のしきい値より少ない誤りが発生していることを示すと、フローはステップＳ４０４へ進む。どちらでもない場合には、フローはステップＳ４０１へ戻る。ステップＳ４０１及びＳ４０２を実施する好適な方法が、図５を参照して後で説明される。
【００３６】
ステップＳ４０２における第１のしきい値は、好適には、無線リンクパラメータの第１のセットに対する関係が無線リンクパラメータの第２のセットに対する関係と交差する点に対応する予め決められたしきい値である。同様に、ステップＳ４０２における第２のしきい値は、好適には、無線リンクパラメータの第１のセットに対する関係が無線リンクパラメータの第３のセットに対する関係と交差する点に対応する予め決められたしきい値である。
【００３７】
ステップＳ４０３では、無線リンクパラメータが無線リンクパラメータの第１のセットから無線リンクパラメータの第２のセットに変更される。本発明によれば、無線リンクパラメータの第２のセットは、無線リンクパラメータの第１のセットよりも高い誤り許容度に対応する。
【００３８】
ステップＳ４０４では、無線リンクパラメータが無線リンクパラメータの第１のセットから無線リンクパラメータの第３のセットに変更される。本発明によれば、無線リンクパラメータの第３のセットは、無線リンクパラメータの第１のセットよりも低い誤り許容度に対応する。
【００３９】
ステップＳ４０３及びＳ４０４の後、フローはステップＳ４０１へ戻る。
【００４０】
前述の動作により、無線リンクパラメータは、与えられた誤りの測定値に対して好適な無線リンクパラメータのセットに動的に適応化される。
【００４１】
図５は、本発明のある好適な実施形態に係る、無線リンクを介した通信において発生する誤りの測定値の決定を示すフローチャートである。この動作は、上述の図４におけるステップＳ４０１及びＳ４０２の好適な実施形態に対応する。
【００４２】
簡単に言えば、図５によって使用される誤りの測定値は、１つの無線通信リンクに対して発生する否定応答（ＮＡＣＫ）メッセージの数と肯定応答（ＡＣＫ）メッセージの数とをモニタリングすることによって決定される。ＮＡＣＫ及びＡＣＫメッセージは、通信の技術では公知である。予め決められた数より多いＮＡＣＫメッセージが連続して発生すると、誤りの測定値は予め決められた第１のしきい値より多い誤りに対応すると決定される。同様に、予め決められた数より多いＡＣＫメッセージが連続して発生すると、誤りの測定値は予め決められた第２のしきい値より少ない誤りに対応すると決定される。
【００４３】
従ってステップＳ５０１では、連続して受信された、及び／又は生成されたＮＡＣＫメッセージの数がしきい値と比較される。このＮＡＣＫメッセージの数がしきい値を超えると（又は、それに代わって、しきい値以上になると）、予め決められた第１のしきい値より多い誤りが発生していると決定される。
【００４４】
ステップＳ５０２では、連続して受信された、及び／又は生成されたＡＣＫメッセージの数がしきい値と比較される。このＡＣＫメッセージの数がしきい値を超えると（又は、それに代わって、しきい値以上になると）、予め決められた第２のしきい値より少ない誤りが発生していると決定される。
【００４５】
ステップＳ５０１及びＳ５０２で使用されるしきい値は、好適には、図６に関連して以下に議論されるように、通信に使用されている無線リンクパラメータの現在のセットに依存する。
【００４６】
図６は、本発明のある好適な実施形態に係る、無線リンクパラメータの動的な適応化を示す状態図である。図６の状態図は、図３に関連して議論された無線リンクパラメータと誤り率との間の関係を使用して実行される図４及び図５の方法に対応する。
【００４７】
図６では、状態２１乃至２８は無線リンクパラメータのセットに対応し、代わって、これらの無線リンクパラメータのセットはそれぞれ、図３の直線１１乃至１８に対応する。状態２１乃至２８にはそれぞれ、インデックスｉ＝１乃至８が割り当てられる。図６では、これらのインデックスが各状態において括弧内に示されている。同じく図示されたように、各状態は、従って各インデックスは、特定の無線リンクパラメータのセットに対応する。
【００４８】
しきい値Ｎ１乃至Ｎ７は、ＮＡＣＫメッセージのしきい値を示す。これらのＮＡＣＫのしきい値の各々は、図５のステップＳ５０１で使用されるしきい値に対応する。通信の現在の状態が状態ｉであれば、しきい値Ｎｉが使用される。
【００４９】
しきい値Ａ２乃至Ａ８は、ＡＣＫメッセージのしきい値を示す。これらのＡＣＫのしきい値の各々は、図５のステップＳ５０２で使用されるしきい値に対応する。通信の現在の状態が状態ｉであれば、しきい値Ａｉが使用される。
【００５０】
通信が状態ｉにあり、かつＮｉ個の連続するＮＡＣＫメッセージが受信される、及び／又は生成されると、通信は状態ｉ＋１へ遷移する。無線リンクパラメータのセットは、状態ｉ＋１に関連付けられた無線リンクパラメータのセットに変更される。この状態は、Ｎｉ個の連続するＮＡＣＫメッセージに対応する誤り率のためのより高い誤り許容度に対応する。誤り率がさらに高い場合には、この状態は状態ｉより高いスループット効率に対応する。
【００５１】
通信が状態ｉにあり、かつＡｉ個の連続するＡＣＫメッセージが受信される、及び／又は生成されると、通信は状態ｉ−１へ遷移する。無線リンクパラメータのセットは、状態ｉ−１に関連付けられた無線リンクパラメータのセットに変更される。この状態は、Ａｉ個の連続するＡＣＫメッセージに対応する誤り率のためのより低い誤り許容度に対応する。誤り率がさらに低い場合には、この状態は状態ｉより高いスループット効率に対応する。
【００５２】
前述の動作はＮＡＣＫ及びＡＣＫメッセージを利用して状態変化をトリガーするので、無線リンクパラメータは動的に反応する。状態変化は、誤りの蓄積がＢＥＲ統計値に影響するのを待機する必要なしに生じる。さらに、前述の動作は、事実上、任意の数の異なるタイプ及びセットの無線リンクパラメータにも対処するように容易に拡張されることが可能であり、通信リンクを、変化する状況へ適応化させる際に多大な順応性がもたらされる。
【００５３】
代替の実施形態．
ここには本発明の好適な実施形態が開示されているが、本発明の内容、範囲及び精神の範囲内に留まったままで多くの変形例が可能であり、本願明細書を熟読すれば、当業者にはこれらの変形例が明らかとなるであろう。
【図面の簡単な説明】
【図１】無線通信リンクのブロック図である。
【図２】本発明の一実施形態に係る、無線通信に参加可能な装置のブロック図である。
【図３】様々な無線リンクパラメータについて、信号対干渉プラス雑音比に対するスループット効率を示すグラフである。
【図４】本発明のある好適な実施形態に係る、無線リンクパラメータの動的な適応化を示すフローチャートである。
【図５】本発明のある好適な実施形態に係る、無線リンクを介した通信において発生する誤りの測定値の決定を示すフローチャートである。
【図６】本発明のある好適な実施形態に係る、無線リンクパラメータの動的な適応化を示す状態図である。
【符号の説明】
１…送信機、
２…受信機、
３…無線リンク、
５…装置、
６…プロセッサ、
７…メモリ、
８…入／出力（Ｉ／Ｏ）、
９…送信機／受信機、
１０…バス。
【図１】
2004525536.tif 000004
【図２】
2004525536.tif 000005
【図３】
2004525536.tif 000006
【図４】
2004525536.tif 000007
【図５】
2004525536.tif 000008
【図６】
2004525536.tif 000009
【国際公開パンフレット】
2004525536.tif 000010
2004525536.tif 000011
2004525536.tif 000012
2004525536.tif 000013
2004525536.tif 000014
2004525536.tif 000015
2004525536.tif 000016
2004525536.tif 000017
2004525536.tif 000018
2004525536.tif 000019
2004525536.tif 000020
2004525536.tif 000021
2004525536.tif 000022
2004525536.tif 000023
2004525536.tif 000024
2004525536.tif 000025
2004525536.tif 000026
2004525536.tif 000027
2004525536.tif 000028
2004525536.tif 000029
2004525536.tif 000030
2004525536.tif 000031
2004525536.tif 000032
2004525536.tif 000033
2004525536.tif 000034
【国際公開パンフレット（コレクトバージョン）】
2004525536.tif 000035
2004525536.tif 000036
【国際調査報告】
2004525536.tif 000037
2004525536.tif 000038
2004525536.tif 000039